【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
所定の業務におけるプロセスモデルを作成するプロセスモデル作成装置であって、
ユーザが情報を入力する情報入力手段と、
前記業務における複数のプロセスモデルのそれぞれを組み合わせていくことにより一つのプロセスモデルに統合するように構成されたプロセスモデル体系と、プロセスモデルに対してそれぞれ異なる生成処理を行うための複数の生成情報とを記憶する記憶手段と、
前記記憶手段に記憶されたプロセスモデル体系及び各生成情報のうち前記情報入力手段によって選択された少なくとも一つのプロセスモデルと生成情報に基づきプロセスモデルを作成する作成手段とを備える
ことを特徴とするプロセスモデル作成装置。
【請求項２】
前記作成手段は、
作成されるプロセスモデルにおけるプロセスの有無を表す有無情報を、情報入力手段によって選択された少なくとも一つのプロセスモデルと生成情報に基づいて生成し、生成された有無情報に基づきプロセスモデルを作成する
ことを特徴とする請求項１記載のプロセスモデル作成装置。
【請求項３】
前記作成手段は、
作成されるプロセスモデルにおけるプロセス間の遷移を表す遷移情報を、情報入力手段によって選択された少なくとも一つのプロセスモデルと生成情報に基づいて生成し、生成された遷移情報に基づきプロセスモデルを作成する
ことを特徴とする請求項１または２記載のプロセスモデル作成装置。
【請求項４】
前記記憶手段に記憶されたプロセスモデル体系のうち前記情報入力手段によって選択されたプロセスモデルを表示するとともに、表示されたプロセスモデルの基となる単位プロセスモデルと、該単位プロセスモデルの表示レベルとが前記情報入力手段によって選択されると、選択された単位プロセスモデル及びその表示レベルに基づき該プロセスモデルの表示態様を変更する表示手段を備える
ことを特徴とする請求項１、２または３記載のプロセスモデル作成装置。
【請求項５】
プロセスモデル作成装置が、所定の業務におけるプロセスモデルを作成するプロセスモデル作成方法であって、
記憶部が、前記業務における複数のプロセスモデルのそれぞれを組み合わせていくことにより一つのプロセスモデルに統合するように構成されたプロセスモデル体系と、プロセスモデルに対してそれぞれ異なる生成処理を行うための複数の生成情報とを記憶し、
作成部が、前記記憶部に記憶されたプロセスモデル体系及び各生成情報のうち、ユーザが情報を入力する情報入力部によって選択された少なくとも一つのプロセスモデルと生成情報に基づきプロセスモデルを作成する
ことを特徴とするプロセスモデル作成方法。
【請求項６】
前記作成部が、
作成されるプロセスモデルにおけるプロセスの有無を表す有無情報を、前記情報入力部によって選択された少なくとも一つのプロセスモデルと生成情報に基づいて生成し、生成された有無情報に基づきプロセスモデルを作成する
ことを特徴とする請求項５記載のプロセスモデル作成方法。
【請求項７】
前記作成部が、
作成されるプロセスモデルにおけるプロセス間の遷移を表す遷移情報を、前記情報入力部によって選択された少なくとも一つのプロセスモデルと生成情報に基づいて生成し、生成された遷移情報に基づきプロセスモデルを作成する
ことを特徴とする請求項５または６記載のプロセスモデル作成方法。
【請求項８】
表示部が、前記記憶部に記憶されたプロセスモデル体系のうち前記情報入力部によって選択されたプロセスモデルを表示するとともに、表示されたプロセスモデルの基となる単位プロセスモデルと、該単位プロセスモデルの表示レベルとが前記情報入力部によって選択されると、選択された単位プロセスモデル及びその表示レベルに基づき該プロセスモデルの表示態様を変更する
ことを特徴とする請求項５、６または７記載のプロセスモデル作成方法。
【請求項９】
コンピュータを請求項１乃至４何れか１項記載のプロセスモデル作成装置の各手段として機能させるためのプロセスモデル作成プログラム。
【手続補正２】
【補正対象書類名】明細書
【補正対象項目名】発明の名称
【補正方法】変更
【補正の内容】
【発明の名称】プロセスモデル作成装置、方法及びそのプログラム
【手続補正３】
【補正対象書類名】明細書
【補正対象項目名】００２０
【補正方法】変更
【補正の内容】
【００２０】
本発明は上記事情に鑑みてなされたものであり、その目的とするところは、プロセスモデリングの効率を向上させることができるプロセスモデル作成装置、方法及びそのプログラムを提供することにある。
【手続補正４】
【補正対象書類名】明細書
【補正対象項目名】００２１
【補正方法】変更
【補正の内容】
【００２１】
本発明のプロセスモデル作成装置は、前記目的を達成するために、所定の業務におけるプロセスモデルを作成するプロセスモデル作成装置であって、ユーザが情報を入力する情報入力手段と、前記業務における複数のプロセスモデルのそれぞれを組み合わせていくことにより一つのプロセスモデルに統合するように構成されたプロセスモデル体系と、プロセスモデルに対してそれぞれ異なる生成処理を行うための複数の生成情報とを記憶する記憶手段と、前記記憶手段に記憶されたプロセスモデル体系及び各生成情報のうち前記情報入力手段によって選択された少なくとも一つのプロセスモデルと生成情報に基づきプロセスモデルを作成する作成手段とを備えている。
【手続補正５】
【補正対象書類名】明細書
【補正対象項目名】００２２
【補正方法】変更
【補正の内容】
【００２２】
また、本発明のプロセスモデル作成方法は、前記目的を達成するために、プロセスモデル作成装置が、所定の業務におけるプロセスモデルを作成するプロセスモデル作成方法であって、記憶部が、前記業務における複数のプロセスモデルのそれぞれを組み合わせていくことにより一つのプロセスモデルに統合するように構成されたプロセスモデル体系と、プロセスモデルに対してそれぞれ異なる生成処理を行うための複数の生成情報とを記憶し、作成部が、前記記憶部に記憶されたプロセスモデル体系及び各生成情報のうち、ユーザが情報を入力する情報入力部によって選択された少なくとも一つのプロセスモデルと生成情報に基づきプロセスモデルを作成している。
【手続補正６】
【補正対象書類名】明細書
【補正対象項目名】００２３
【補正方法】変更
【補正の内容】
【００２３】
さらに、本発明のプロセスモデル作成プログラムは、前記目的を達成するために、コンピュータを前記プロセスモデル作成装置の各手段として機能させる。
【手続補正７】
【補正対象書類名】明細書
【補正対象項目名】００２５
【補正方法】変更
【補正の内容】
【００２５】
本発明のプロセスモデル作成装置、方法及びそのプログラムによれば、記憶手段に記憶されたプロセスモデル体系及び各生成情報のうち少なくとも一つのプロセスモデルと生成情報を選択することによりプロセスモデルを作成することができるので、プロセスモデルを自動生成することができ、プロセスモデルの作成者の属人性を排除することができるとともに、プロセスモデルの作成における作業時間及び作業量を低減することができる。従って、プロセスモデリングの効率を向上させることができるとともに、体系的で一貫性のある柔軟なモデリング環境を実現することができる。
【手続補正８】
【補正対象書類名】明細書
【補正対象項目名】００４２
【補正方法】変更
【補正の内容】
【００４２】
(2)分岐・合流についてはＸＯＲ分岐（分岐するフローのうちいずれか１つのみに制御が進むような分岐）のみ扱うこととする。
【手続補正９】
【補正対象書類名】明細書
【補正対象項目名】００９６
【補正方法】変更
【補正の内容】
【００９６】
次に、表示処理における動作を図２４のフロー図を参照して説明する。この表示処理は、プロセス図に対応する多次元配列が生成された後に、選択された表示レベルのメニュー（ドリリング、ダイシング、スライシング）に応じて多次元配列を操作することにより行われる。この配列操作は、一般にＯＬＡＰ集計(online analytical processing）と呼ばれる配列操作と同様である。